(57)【特許請求の範囲】
【請求項１】
浴室内に温風を吹き出す暖房又は乾燥用の乾燥端末機と、
浴室以外の屋内から吸気して浴室内に送り込む吸気用送風機とを有し、
前記乾燥端末機の熱源が外壁貫通設置型であって、前記乾燥端末機が浴槽のエプロン部内に設けられることによって、前記乾燥端末機の熱源と前記乾燥端末機の両者が、浴室内に位置し、
前記吸気用送風機が、浴室と浴室以外の屋内とを隔てる間仕切り壁、又は浴室のドアあるいは浴室の天井に設けられ、
前記乾燥端末機の動作に連動して、前記吸気用送風機が駆動し、浴室外の屋内の空気が吸気装置を通して浴室内に送られる浴室。
【請求項２】
請求項１において、
乾燥端末機を暖房として使用するときは、吸気用送風機を停止するか、あるいは、吸気用送風機の回転数を少なくする浴室。
【発明の詳細な説明】
【０００１】
【発明の属する技術分野】
本発明は、主として家庭用の浴室の乾燥に好適な浴室に関する。
【０００２】
【従来の技術】
従来、浴室における温水式の乾燥は一般に図１０に示すように、浴室１の天井に浴室を乾燥するための乾燥端末機２と、往き管と戻り管とからなる循環配管４を通してこの乾燥端末機２に温水を循環させるための乾燥用熱源機３と、浴室内の空気を屋外に送り出して排出するための排気用送風機６を備えた排気装置５を設置して行うようにしている。なお、図示は省略したが乾燥端末機２には乾燥用熱源機３に接続した乾燥用熱交換器とこの乾燥用熱交換器で空気を加熱して温風を発生させるための電気で駆動する乾燥用送風機が備えられており、また、乾燥端末機２は浴室内の壁面上部に、排気装置５は浴室内の壁面上部あるいは浴室の屋外に面した窓の上部にそれぞれ取り付けられる場合もある。
【０００３】
そして、上記浴室の乾燥装置は、リモコンなどのスイッチ操作により乾燥の指令が出されると乾燥用熱源機３の燃焼により温水がつくられ、乾燥用熱源機３に内蔵されたポンプにより温水が乾燥端末機２に送られ、乾燥端末機２では温水が乾燥端末機２内の乾燥用熱交換器に供給されるとともに乾燥用送風機が駆動して乾燥用熱交換器に空気を供給することにより、乾燥用送風機からの空気は温水で昇温され、浴室１内に温風を放出して浴室の乾燥を行い、これと同時に排気装置５で湿った空気を屋外に排出し、排出した空気を補うため浴室内にはドアのガラリ１１あるいは隙間等を介し浴室外から空気が流入することで乾燥を促進するようになっている。
また、この乾燥装置は浴室の暖房にも使用されることが一般的で、暖房として使用するときは、排気装置５の排気用送風機６を停止して排気しないようにするかあるいは排気用送風機６の回転数を少なくして排気量を乾燥時よりも減少させる方法が採られる。
【０００４】
ところで、温水式の乾燥装置により乾燥を行う場合、浴室１内の空気を屋外に排気するための経路が必要であり、従来においては、図１１に示すように排気用送風機６を備える排気装置５を浴室１の天井あるいは屋外に面しない壁に設置する場合は、天井あるいは屋外に面しない壁と屋外に面する壁に貫通穴を設けて双方を排気ダクト７で接続する必要が、また、図１０に示したように排気用送風機６を備える排気装置５を屋外に面する壁に設ける場合にはこの壁に貫通穴を設ける必要がある。さらに、屋外に面する窓に設置する場合を含めていずれも浴室内の空気を屋外に送り出すための排気用送風機６を内蔵した排気装置５を設置するためのスペースがあること及び設置できる構造であることが必要である。
【０００５】
しかし、既設住宅や集合住宅などの浴室に上記の乾燥装置を設けて浴室を乾燥できるようにしようとしても、浴室の屋外に面する壁に貫通穴がない、あるいは貫通穴を設けることが困難な場合があり、また、屋外に面した窓には浴室内の空気を屋外に送り出すための排気用送風機６を備えた排気装置５を設置するスペースがない、あるいはその構造が採れない場合があって、この場合には前述の排気用送風機を内蔵した排気装置を設けることができず、結果として浴室に乾燥端末機を設置しても十分な乾燥効果が得られないという問題があった。
【０００６】
【発明が解決しようとする課題】
本発明は、浴室に浴室内の空気を屋外に排出するための排気用送風機を備えた排気装置を設けない場合でも、浴室を短時間で効率よく乾燥することが可能な浴室を提供しようとするものである。
【０００７】
【課題を解決するための手段】
本発明は、次のものに関する。
（１）  浴室内に温風を吹き出す暖房又は乾燥用の乾燥端末機と、浴室以外の屋内から吸気して浴室内に送り込む吸気用送風機とを有し、前記乾燥端末機の熱源が外壁貫通設置型であって、前記乾燥端末機が浴槽のエプロン部内に設けられることによって、前記乾燥端末機の熱源と前記乾燥端末機の両者が、浴室内に位置し、前記吸気用送風機が、浴室と浴室以外の屋内とを隔てる間仕切り壁、又は浴室のドアあるいは浴室の天井に設けられ、前記乾燥端末機の動作に連動して、前記吸気用送風機が駆動し、浴室外の屋内の空気が吸気装置を通して浴室内に送られる浴室。
（２）  （１）において、乾燥端末機を暖房として使用するときは、吸気用送風機を停止するか、あるいは、吸気用送風機の回転数を少なくする浴室。
【０００８】
【作用】
本発明の浴室において、浴室を乾燥する場合、乾燥端末機の動作に伴い吸気用送風機を駆動させることで、この吸気用送風機により浴室以外の屋内、例えば洗面室や脱衣室あるいは天井裏などの屋内から吸気した空気が浴室内に送り込まれる。このときに使用者が浴室の屋外に面した窓を適宜開けておくことで浴室内の湿った空気が屋外に排出されることになり、その結果として浴室の乾燥が促進される。
【０００９】
【発明の実施の形態】
本発明の浴室において、浴室以外の屋内から吸気した空気を浴室内に送り込むための吸気用送風機は、浴室と浴室以外の屋内とを隔てる間仕切り壁、又は浴室のドアあるいは浴室の天井に設けられる。なお、開閉する浴室のドアに設けた場合の吸気用送風機の電気配線処理や浴室の天井に設けた場合の浴室以外の屋内と接続するためのダクト工事の必要性等を考慮すると、浴室と浴室以外の屋内とを隔てる間仕切り壁に設けるようにするのが好ましい。
なお、吸気用送風機を浴室の天井に設ける場合には、一般的にはダクトで浴室以外の屋内に接続する。
吸気用送風機は、浴室に面する側とこれと対向する面との二面を開口したケースに、浴室以外の屋内から吸気した空気を浴室内に向けて送り込むための電気で駆動する送風機を内蔵するとともに適宜風向板等を備えた吸気装置としたかたちで、この吸気装置のケースの一面が浴室側に向けて開口するように、浴室と浴室以外の屋内とを隔てる間仕切り壁又は浴室のドアあるいは浴室の天井に取付ける。
【００１０】
本発明の浴室における乾燥端末機の熱源としては、暖房と乾燥を行う乾燥用熱源機、又は乾燥用燃焼機と給湯用との複数の燃焼機を備えた給湯機若しくは給湯付風呂釜などから供給される温水によるものの他に、電気ヒータによるものでもよいが、発生熱量を大きくできてより短時間で効率良く乾燥が可能となるように温水によるものが好ましい。
一方、乾燥端末機には、乾燥用熱源機に接続される乾燥用熱交換器と、この乾燥用熱交換器で空気を加熱し温風を発生させるための乾燥用送風機が備えられる。
上述の乾燥用燃焼機と給湯用との複数の燃焼機を備えた給湯機若しくは給湯付風呂釜などの乾燥用熱源機としては、浴槽を設置する浴室外壁の給排気口用の方形穴に浴室内側から嵌め込んで浴室壁面に固定し本体部分を屋外に突出して、湯、水、ガス等の配管部分が浴室内の壁面側に配置される構造とした外壁貫通設置型（壁貫通式）を使用するのが好ましい。
さらに、上記外壁貫通設置型の乾燥用熱源機に加えて、乾燥端末機を浴槽のエプロン部内に設置するようにすれば、外壁貫通設置型の乾燥用熱源機と乾燥端末機のどちらも浴室内に位置することになって、設置工事からメンテナンスに至る作業の簡略化、乾燥用の温水循環のためのポンプの小型化、さらには循環配管の短縮により乾燥中の熱損失を少なくできる効果がある。
【００１１】
本発明の浴室において、浴室内に温風を吹き出す乾燥用の乾燥端末機は、浴室の暖房にも使用することができ、暖房として使用するときは、浴室以外の屋内から吸気して浴室内に送り込むための吸気用送風機を停止して吸気しないようにするか、あるいは吸気用送風機の回転数を少なくして吸気量を乾燥時より減少させるようにして使用する。
【００１２】
【実施例】
以下、本発明による浴室の実施例を、図１乃至図９を参照しながら説明する。
図１は本発明の一実施例による浴室の全体構成図、図２は図１中おける乾燥端末機と乾燥用熱源機との基本構成図であり、図１において、浴室の入口である浴室ドア８及び屋外に面して開閉可能な窓１２などを設けた浴室１における浴室以外の屋内に面する間仕切り壁３２の上部には吸気装置１３が、浴室１の天井には乾燥端末機２が、それぞれ設けられ、吸気装置１３には浴室以外の屋内から吸気して浴室１内に空気を送り込むための吸気用送風機１４が内蔵される。
また、乾燥端末機２には図２に示すように乾燥用送風機１５と乾燥用熱交換器１６が内蔵される。一方、屋外に乾燥用熱源機３が設けられ、この乾燥用熱源機３には乾燥用燃焼部１７と、この乾燥用燃焼部１７で昇温した温水を循環するポンプ１８が内蔵されており、乾燥用熱源機３と乾燥端末機２は往き管４ａと戻り管４ｂとの循環配管４で接続されている。
次に、上記の乾燥装置の動作について説明すると、屋外に設けた乾燥用熱源機３のリモコン１９で乾燥のスイッチ操作を行うと、乾燥用熱源機３に内蔵した乾燥用燃焼部１７が燃焼し、ポンプ１８が駆動して温水を乾燥端末機２に供給する。このように乾燥端末機２に温水が供給されると送風機１５が駆動して乾燥用熱交換器１６を通る温水により乾燥用送風機１５から送られた空気を加熱して、浴室１の下方に温風を放出して浴室１内を乾燥する。また、乾燥端末機２の動作に連動して、吸気用送風機１４が駆動し、浴室１外の屋内の空気が吸気装置１３を通して浴室１内に送られる。このとき浴室１の屋外に面した窓１２を開けておくことで浴室１内の湿った空気が屋外に排出され、乾燥が促進される。
【００１３】
図３は、図１の実施例における屋外設置式の乾燥用熱源機に代えて外壁貫通設置型（壁貫通式）の乾燥用熱源機を使用し、かつ乾燥端末機２を浴槽９の上縁面９ａの外側端から垂下するエプロン部１０と槽壁との間隔内に設けた場合の実施例を示す浴室の全体構成図で、壁貫通式の乾燥用熱源機として給湯付風呂釜などのように浴槽を設置する浴室外壁の給排気口用の方形穴に浴室内側から嵌め込んで浴室壁面に固定し本体部分を屋外に突出して、湯、水、ガス等の配管部分が浴室内の壁面側に配置される構造のもの、すなわち熱源機本体の給排気口を屋外に位置し配管類の接続部が浴室内の壁面側に配置される構成の外壁貫通設置型（壁貫通式）の乾燥用熱源機２２であり、この外壁貫通設置型の乾燥用熱源機２２の場合も、図２に示した実施例と同様に、浴室内に位置する壁貫通設置型の乾燥用熱源機２２と乾燥端末機２とは往き管４ａと戻り管４ｂとの循環配管４で接続される。
この外壁貫通設置型（壁貫通式）の乾燥用熱源機２２を使用した場合は、乾燥用熱源機２２と浴槽９のエプロン部１０内に設けられた乾燥端末機２の両方が浴室１の内部に位置することになるので、乾燥用熱源機２２と乾燥端末機２との循環配管の接続作業を浴室１側から行うことができることによる設置工事からメンテナンスに至る作業の簡略化が図れ使用者の費用負担を軽減でき、循環配管の経路短縮による乾燥用温水循環のためのポンプの小型化及び乾燥中の熱損失の低減が図れる。
図４は外壁貫通設置型の乾燥用熱源機付きの給湯機の構成図を示し、図５はその設置例図を示す。給湯機２３の本体内には、給湯するための給湯用燃焼部３０と乾燥用燃焼部１７を有する。
【００１４】
図６は乾燥端末機と浴槽の経路切替手段を内蔵した外壁貫通設置型の給湯付風呂釜の構成図を示し、図７はその設置例図示す。給湯付風呂釜２４の本体内には給湯用燃焼部３０と浴槽の追焚と暖房、乾燥の温水を供給するための燃焼部３１を有する。通路切替手段は二方弁、若しくは三方弁を用い、浴槽側か乾燥端末機側のどちらかに水通路を切替える。浴槽側に切替わった場合（実線）、ポンプ１８が駆動することにより、ふろ戻り管２７ｂから浴槽水を吸い込み燃焼部３１により昇温され、ふろ往き管２７ａを介し、浴槽水が循環する。それにより浴槽水を追焚することが可能となる。また、乾燥端末機側に切替わった場合（点線）、ポンプ１８が駆動することにより、燃焼部３１と乾燥端末機２で通路が構成され、水を昇温し温水を乾燥端末機２に温水を供給する。
【００１５】
図８は乾燥端末機と浴槽の経路切替手段を浴室内に設置した外壁貫通設置型の給湯付風呂釜の構成図を示し、図９はその設置例図を示す。
給湯付風呂釜２５の本体内には給湯用燃焼部３０と浴槽の追焚と暖房、乾燥の温水を供給するための燃焼部３１を有する。通路切替手段は浴室内に設置され二方弁、若しくは三方弁を用い、給湯付風呂釜２５内のコントロール基板２１から制御されるものと、手動により浴槽側か乾燥端末機側のどちらかに水通路を切替えるものどちらでもかまわない。浴槽側に切替わった場合（実線）、ポンプ１８が駆動することにより、ふろ戻り管２７ｂから浴槽水を吸い込み燃焼部２６により昇温され、ふろ往き管２７ａを介し、浴槽水が循環する。それにより浴槽水を追焚することか可能となる。また、乾燥端末機側に切替わった場合（点線）、ポンプ１８が駆動することにより、燃焼部３１と乾燥端末機２で通路が構成され、水を昇温し温水を乾燥端末機２に温水を供給する。
【００１６】
【発明の効果】
本発明の浴室によれば、浴室以外の屋内から吸気して浴室内に送り込む吸気用送風機を設ける構成としており、浴室と浴室以外の屋内とを隔てる間仕切り壁又は浴室ドアあるいは浴室の天井などに吸気用送風機を設けることで、浴室を乾燥する場合に吸気用送風機により浴室以外の屋内から吸気した空気が浴室内に送り込まれ、このときに使用者が浴室の屋外に面した窓を開けておくことで浴室内の湿った空気が屋外に排出されるため、浴室内の空気を屋外に送り出すための排気用送風機を内蔵する排気装置の設置が難しい既設住宅や集合住宅において排気用送風機を備えた排気装置を設けない場合でも、浴室を短時間で効率よく乾燥することが可能となる。
【００１７】
また、浴槽のエプロン部内に浴室の乾燥用の乾燥端末機を設けるようにすれば、浴槽を設置した浴室下部における洗場床面に近い箇所から温風が放出されて暖まるようになり短時間で効率よく乾燥することができて乾燥エネルギーの低減ができ、さらに、乾燥端末機と熱源機の配管接続が浴室内で完結するため、設置工事費や燃料（ガス）代が低減でき使用者の費用負担が軽減できる。
【図面の簡単な説明】
【図１】本発明の実施例による浴室の全体構成図である。
【図２】図１中おける乾燥端末機と乾燥用熱源機との基本構成図である。
【図３】外壁貫通設置型の乾燥用熱源機による実施例の乾燥端末機を浴槽のエプロン部内に設置した浴室の全体構成図である。
【図４】外壁貫通設置型の乾燥用熱源機付きの給湯機の構成図である。
【図５】外壁貫通設置型の乾燥用熱源機付きの給湯機による実施例の乾燥端末機を浴槽のエプロン部内に設置した浴室の設置例図である。
【図６】外壁貫通設置型の乾燥端末機と浴槽の経路切替手段を内蔵した給湯付風呂釜の構成図である。
【図７】外壁貫通設置型の乾燥端末機と浴槽の経路切替手段を内蔵した給湯付風呂釜による実施例の乾燥端末機を浴槽のエプロン部内に設置した浴室の設置例図である。
【図８】外壁貫通設置型の乾燥端末機と浴槽の経路切替手段を浴室内に設けた給湯付風呂釜の構成図である。
【図９】外壁貫通設置型の乾燥端末機と浴槽の経路切替手段を浴室内に設けた給湯付風呂釜による実施例の乾燥端末機を浴槽のエプロン部内に設置した浴室の設置例図である。
【図１０】従来例による浴室乾燥装置の全体構成図である。
【図１１】図１０とは別の従来例による浴室乾燥装置の全体構成図である。
【符号の説明】
１  浴室                                ２  乾燥端末機
３  乾燥用熱源機                        ４  循環配管
４ａ  往き管                            ４ｂ  戻り管
５  排気装置                            ６  排気用送風機
７  排気ダクト                          ８  浴室ドア
９  浴槽                              ９ａ  浴槽の上縁面
１０  エプロン                          １１  ガラリ
１２  窓                                １３  吸気装置
１４  吸気用送風機                      １５  乾燥用送風機
１６  乾燥用熱交換器                    １７  乾燥用燃焼部
１８  ポンプ                            １９  リモコン
２０  循環水タンク                      ２１  コントロール基板
２２  壁貫通式（外壁貫通設置型）の乾燥用熱源機
２３  壁貫通式（外壁貫通設置型）の乾燥用熱源機付きの給湯機
２４  壁貫通式（外壁貫通設置型）の乾燥機能付き給湯付風呂釜１
２５  壁貫通式（外壁貫通設置型）の乾燥機能付き給湯付風呂釜２
２７ａ  ふろ往き管                      ２７ｂ  ふろ戻り管
２８ａ  器具往き管                      ２８ｂ  器具戻り管
２９  経路切替手段                      ３０  給湯用燃焼部
３１  追焚、暖房共用燃焼部              ３２  間仕切り壁
【図１】
0004003118.tif 000002
【図２】
0004003118.tif 000003
【図３】
0004003118.tif 000004
【図４】
0004003118.tif 000005
【図５】
0004003118.tif 000006
【図６】
0004003118.tif 000007
【図７】
0004003118.tif 000008
【図８】
0004003118.tif 000009
【図９】
0004003118.tif 000010
【図１０】
0004003118.tif 000011
【図１１】
0004003118.tif 000012